(57)【要約】【課題】二重床部分の厚さをほぼ大引鋼のみの厚さ分として、床下又は床上の有効容積が狭くなることなく、また設置現場で大引鋼へ根太鋼を掛け渡す位置が自由に変更できるフリーアクセスフロア用固定具およびその固定具を用いたフリーアクセスフロア構造を提供する。【解決手段】角形鋼管とした大引鋼１１に被着可能とすると共に、両側面１ｂ下端に設けたフランジ部１ｃに止め孔３を設けた短尺ハット形鋼１と、前記短尺ハット形鋼１のフランジ部１ｃの止め孔３に合致する位置に止め孔４を設けた挟みプレート２よりなるものとしている。【選択図】　　　　図１
2004076531.tif 000002
【特許請求の範囲】
【請求項１】
角形鋼管とした大引鋼（１１）に被着可能とすると共に、両側板（１ｂ）下端に設けたフランジ部（１ｃ）に止め孔（３）を設けた短尺ハット形鋼（１）と、前記短尺ハット形鋼（１）のフランジ部（１ｃ）の止め孔（３）に合致する位置に止め孔（４）を設けた挟みプレート（２）よりなることを特徴とするフリーアクセスフロア用固定具。
【請求項２】
前記挟みプレート（２）の下方に支持スタンド（６）を固着したことを特徴とする請求項１記載のフリーアクセスフロア用固定具。
【請求項３】
平行に配置した角形鋼管よりなる大引鋼（１１）に、適当な間隔をおいて互いに向かい合う位置に、請求項１記載のフリーアクセスフロア用固定具の短尺ハット形鋼（１）を被せ、これら短尺ハット形鋼（１）の向かい合うフランジ部（１ｃ）に、角形鋼管よりなる根太鋼（１２）をそれぞれ掛け渡すと共に、大引鋼（１１）の下方から挟みプレート（２）を当接させ、前記根太鋼（１２）の両端部に設けた止め孔（１３）を、前記短尺ハット形鋼（１）のフランジ部（１ｃ）の止め孔（３）、挟みプレート（２）の止め孔（４）に合致させ、これら止め孔（１３、３、４）にボルト（１４）を通し、ナット（１５）で止着したことを特徴とするフリーアクセスフロア構造。
【請求項４】
平行に配置した角形鋼管よりなる大引鋼（１１）に、適当な間隔をおいて互いに向かい合う位置に、請求項２記載のフリーアクセスフロア用固定具の短尺ハット形鋼（１）を被せ、これら短尺ハット形鋼（１）の向かい合うフランジ部（１ｃ）に、角形鋼管よりなる根太鋼（１２）をそれぞれ掛け渡すと共に、大引鋼（１１）の下方から挟みプレート（２）を当接させ、前記根太鋼（１２）の両端部に設けた止め孔（１３）を、前記短尺ハット形鋼（１）のフランジ部（１ｃ）の止め孔（３）、挟みプレート（２）の止め孔（４）に合致させ、これら止め孔（１３、３、４）にボルト（１４）を通し、ナット（１５）で止着したことを特徴とするフリーアクセスフロア構造。
【発明の詳細な説明】
【０００１】
【発明の属する技術分野】
この発明は、ＯＡ機器の普及により電気配線が複雑化したオフィスビル、半導体工場のクリーンルームなどにおけるフリーアクセスフロア（二重床タイプのフロア）に用いられる固定具、およびその固定具を用いたフリーアクセスフロア構造に関するものである。
【０００２】
【従来の技術】
従来、この種のフリーアクセスフロアは、フロアパネル下に配線ダクトやフィルタ等を配設できるように二重床タイプのフロア構造にしている。
【０００３】
そのため、この種のフリーアクセスフロアは、例えば図７に示したように、床面に立設した複数本の支持スタンド２０に支持させて複数本の角形鋼管とした大引鋼２１を並列状態に配置すると共に、これら大引鋼２１の上に直交させて複数本の角形鋼管とした根太鋼２２を並列状態に配置し、これら大引鋼２１と根太鋼２２をその直交位置において適当な固定金具２３を用いて固定したものとしている。なお、図示していないが、前記並列状態に配置された根太鋼２２間にはフロアパネルが敷設されることにより、二重床タイプのフロア構造としている。
【０００４】
また、この種のフリーアクセスフロアは、例えば図８、９に示したように、床面に立設した複数本の支持スタンド（図示せず）に支持させて複数本の角形鋼管とした大引鋼２１を並列状態に配置すると共に、これら大引鋼２１の角形鋼管の両側面２１ａに、短尺のミゾ形鋼２４をその溝２４ａを上向きにして溶接し、これら向かい合うミゾ形鋼２４の溝２４ａに、それぞれ角形鋼管とした根太鋼２２を掛け渡し、これら根太鋼２２の両端部に設けた止め孔２５を、前記ミゾ形鋼２４の両側面２４ｂに設けた止め孔２６に合致させ、これら止め孔２５、２６にボルト、ナット等を用いて固着したものとしている。なお、この例においても、図示していないが、前記根太鋼２２間にはフロアパネルが敷設されることにより、二重床タイプのフロア構造としている。
【０００５】
【発明が解決しようとする課題】
しかしながら、図７に示した上記従来のフリーアクセスフロアでは、大引鋼２１の上に直交させて根太鋼２２を配置しているため、大引鋼２１と根太鋼２２が上下に重なり合って、二重床部分はこの大引鋼２１の厚さ分と根太鋼２２の厚さ分を足した厚さとなり、床下又は床上の有効容積が狭くなるという課題を有していた。
【０００６】
また、図８、９に示した上記従来のフリーアクセスフロアでは、大引鋼２１の両側面２１ａにミゾ形鋼２４を溶接し、これら向かい合うミゾ形鋼２４の溝２４ａにそれぞれ角形鋼管とした根太鋼２２を掛け渡すことにより、大引鋼２１と根太鋼２２が上下に重なり合うことなく、二重床部分はこの大引鋼２１の厚さ分となり、図７に示したフリーアクセスフロアのように床下又は床上の有効容積が狭くなるという課題を解消しているものの、大引鋼２１の両側面２１ａにミゾ形鋼２４を溶接する作業に手間が掛かるという課題を有すると共に、設置現場でのミゾ形鋼２４の大引鋼２１の両側面２１ａへの溶接位置の変更ができず、大引鋼２１へ根太鋼２２を掛け渡す位置が変更できないという課題を有していた。
【０００７】
そこで、この発明は、上記従来の課題を解決するものであり、二重床部分の厚さをほぼ大引鋼のみの厚さ分として、床下又は床上の有効容積が狭くなることなく、また設置現場で大引鋼へ根太鋼を掛け渡す位置が自由に変更できるフリーアクセスフロア用固定具およびその固定具を用いたフリーアクセスフロア構造を提供することを目的としてなされたものである。
【０００８】
【課題を解決するための手段】
そのため、この発明のフリーアクセスフロア用固定具は、角形鋼管とした大引鋼１１に被着可能とすると共に、両側板１ｂ下端に設けたフランジ部１ｃに止め孔３を設けた短尺ハット形鋼１と、前記短尺ハット形鋼１のフランジ部１ｃの止め孔３に合致する位置に止め孔４を設けた挟みプレート２よりなるものとしている。
【０００９】
さらに、この発明のフリーアクセスフロア用固定具は、前記挟みプレート２の下方に支持スタンド６を固着したものとすることができる。
【００１０】
そして、この発明のフリーアクセスフロア構造は、平行に配置した角形鋼管よりなる大引鋼１１に、適当な間隔をおいて互いに向かい合う位置に、前記フリーアクセスフロア用固定具の短尺ハット形鋼１を被せ、これら短尺ハット形鋼１の向かい合うフランジ部１ｃに、角形鋼管よりなる根太鋼１２をそれぞれ掛け渡すと共に、大引鋼１１の下方から挟みプレート２を当接させ、前記根太鋼１２の両端部に設けた止め孔１３を、前記短尺ハット形鋼１のフランジ部１ｃの止め孔３、挟みプレート２の止め孔４に合致させ、これら止め孔１３、３、４にボルト１４を通し、ナット１５で止着したものとしている。
【００１１】
【発明の実施の形態】
以下、この発明のフリーアクセスフロア用固定具の実施の形態、およびその固定具を用いたフリーアクセスフロア構造の実施の形態を、図面に基づいて詳細に説明する。
【００１２】
図１は、この発明のフリーアクセスフロア用固定具の一実施形態を示しており、短尺ハット形鋼１と挟みプレート２よりなるものとしている。短尺ハット形鋼１は、角形鋼管とした大引鋼１１の上面１１ａ、両側面１１ｂに沿うようにした上板１ａ、両側板１ｂを有し、この大引鋼１１に被着可能としており、前記両側板１ｂ下端に設けたフランジ部１ｃに止め孔３を設けたものとしている。挟みプレート２は、鋼板などからなる平板としており、前記短尺ハット形鋼１のフランジ部１ｃの止め孔３に合致する位置に止め孔４を設けたものとしている。
【００１３】
前記短尺ハット形鋼１における短尺とは、後に述べる根太鋼１２の角形鋼管の幅と略同一長さをいうものとし、この角形鋼管の幅を広くすれば、これに合わせて短尺ハット形鋼１の長さも長くし、角形鋼管の幅を狭くすれば、これに合わせて短尺ハット形鋼１の長さも短くするが、何れにしても角形鋼管の幅と略同一長さにしている。さらに、この短尺ハット形鋼１の上板１ａには、フロアパネルＰの受け部材５を固着したものとしている。なお、根太鋼１２の上面１２ａにも、必要に応じて、フロアパネルＰの受け部材５を固着したものとしている。
【００１４】
前記挟みプレート２は、図２に示したように、その下方に支持スタンド６を固着したものとすることができる。支持スタンド６は、パイプ支柱６ａの上端に高低調整ボルト６ｂを設け、パイプ支柱６ａの下端にベースプレート６ｃを設けたものとしており、高低調整ボルト６ｂの上端に前記挟みプレート２を溶接するなどして固着したものとしている。
【００１５】
次に、この発明のフリーアクセスフロア構造は、前記フリーアクセスフロア用固定具を用いて、以下のように構成される。
【００１６】
先ず、この発明のフリーアクセスフロア構造は、図３、４に示すように、平行に配置した角形鋼管よりなる大引鋼１１のそれぞれ端部から、６００ｍｍピッチ、１２００ｍｍピッチなどの適当な間隔をおいて互いに向かい合う位置に、フリーアクセスフロア用固定具の短尺ハット形鋼１の上板１ａ、両側板１ｂがそれぞれ、前記大引鋼１１の上面１１ａ、両側面１１ｂに接するようにして、前記短尺ハット形鋼１を大引鋼１１に被せたものとしている。さらに、これら短尺ハット形鋼１の向かい合うフランジ部１ｃに、角形鋼管よりなる根太鋼１２をそれぞれ掛け渡すと共に、大引鋼１１の下方から、その下面１１ｃに接触するようにして前記挟みプレート２を当接させたものとしている。そして、前記根太鋼１２の両端部の底面１２ｂに設けた止め孔１３を、前記短尺ハット形鋼１のフランジ部１ｃの止め孔３、挟みプレート２の止め孔４に合致させ、これら止め孔１３、３、４にボルト１４を通し、ナット１５で止着したものとしている。なお、このように止着した場合、根太鋼１２の底面１２ｂとボルト１４のボルト頭１４ａとの間には、短尺ハット形鋼１のフランジ部１ｃを押圧して揺れ動かないようにするための固定板１６を介在させたものとすることができる。そして最後に、前記短尺ハット形鋼１の上板１ａに固着した受け部材５にフロアパネルＰの角部が位置するようにして、大引鋼１１と根太鋼１２の間にそれぞれ前記フロアパネルＰを敷設することにより、二重床タイプのフロアとしている。
【００１７】
さらに、この発明のフリーアクセスフロア構造は、前記図３、４に示したフリーアクセスフロア構造において、その挟みプレート２の下方に支持スタンド６を固着したものとしている。すなわち、角形鋼管よりなる大引鋼１１のそれぞれ端部から適当な間隔をおいて互いに向かい合う位置に、フリーアクセスフロア用固定具の短尺ハット形鋼１の上板１ａ、両側板１ｂがそれぞれ、前記大引鋼１１の上面１１ａ、両側面１１ｂに接するようにして、前記短尺ハット形鋼１を大引鋼１１に被せたものとしている。さらに、これら短尺ハット形鋼１のフランジ部１ａに、角形鋼管よりなる根太鋼１２をそれぞれ掛け渡すと共に、大引鋼１１の下方から、その下面１１ｃに接触するようにして前記支持スタンド６を固着した挟みプレート２を当接させたものとしている。そして、前記根太鋼１２の両端部の底面１２ｂに設けた止め孔１３を、前記短尺ハット形鋼１のフランジ部１ｃの止め孔３、挟みプレート２の止め孔４に合致させ、これら止め孔１３、３、４にボルト１４を通し、ナット１５で止着したものとしている。
【００１８】
【発明の効果】
この発明は、以上に述べたように構成されているので、二重床部分の厚さはほぼ大引鋼のみの厚さ分となり、床下又は床上の有効容積が狭くなることなく、また設置現場で大引鋼へ根太鋼を掛け渡す位置が自由に変更できるものとなり、各種のフロアパネルの敷設に対応できるなどの優れた効果を有するものとなった。
【図面の簡単な説明】
【図１】この発明のフリーアクセスフロア用固定具の一実施形態を示す分解斜視図である。
【図２】この発明のフリーアクセスフロア用固定具の他実施形態を示す分解斜視図である。
【図３】この発明のフリーアクセスフロア用固定具を用いたフリーアクセスフロア構造の側面図である。
【図４】この発明のフリーアクセスフロア用固定具を用いたフリーアクセスフロア構造の平面図である。
【図５】図１に示すこの発明のフリーアクセスフロア用固定具を用いたフリーアクセスフロア構造の斜視図である。
【図６】図２に示すこの発明のフリーアクセスフロア用固定具を用いたフリーアクセスフロア構造の斜視図である。
【図７】従来のフリーアクセスフロア用固定具およびその固定具を用いたフリーアクセスフロア構造の一例を示す斜視図である。
【図８】従来のフリーアクセスフロア用固定具およびその固定具を用いたフリーアクセスフロア構造の他例を示す分解斜視図である。
【図９】図８に示した従来のフリーアクセスフロア用固定具およびその固定具を用いたフリーアクセスフロア構造の斜視図である。
【符号の説明】
１　短尺ハット形鋼
１ｂ　側板
１ｃ　フランジ部
２　挟みプレート
３　止め孔
４　止め孔
６　支持スタンド
１１　大引鋼
１２　根太鋼
１３　止め孔
１４　ボルト
１５　ナット
【図１】
2004076531.tif 000003
【図２】
2004076531.tif 000004
【図３】
2004076531.tif 000005
【図４】
2004076531.tif 000006
【図５】
2004076531.tif 000007
【図６】
2004076531.tif 000008
【図７】
2004076531.tif 000009
【図８】
2004076531.tif 000010
【図９】
2004076531.tif 000011